Podtech/llm-jp-corpus-v4-ja_patent huggingface dataset:
(57)【要約】【課題】  従来の抜け毛取りは、掃除機を伴うという精神的苦痛も手間もかかるという点が多々あった。【解決手段】  ブラシの底面に穴あき粘着ロールペーパー（テープ）を貼る為に、ブラッシングの際の抜け毛を飛散させないものである。つまりブラッシングと同時に抜け毛が取れるという一石二鳥な商品なのである。穴はブラシの毛の数と大きさに合わせて加工される。無論人間も使用可能である。【選択図】  図１
2005204635.tif 000002
【特許請求の範囲】
【請求項１】
ブラシの形状は多種多様であり、それに合わせた粘着ロールペーパー（テープ）本体から、一枚切取線より切り離し、ブラシの毛に合わせてペーパーを差し込み、ブラシの裏に渡って重ねて貼り付ける。粘着ロールペーパー（テープ）はブラシの毛の数と形状に合わせて穴をいくつか作る。一回ずつ切り取れるよう、切取線も作る。ブラッシングの際に確実に抜け毛を付着させられるテープの粘着具合と、ブラシの毛の数は研究を重ねた独自の物を作る為、ブラシと粘着ロールペーパー（テープ）共に形状、性質は図とは異なる可能性有り。
【発明の詳細な説明】
【技術分野】
【０００１】  本発明は、ブラッシングと同時に抜け毛取りも可能にした抜け毛付着ブラシに関するものである。
【背景技術】
【０００２】  従来の抜け毛取りには、ペットのブラッシングの際、電気掃除機にブラシ付きノズルを取り付けて抜け毛を吸引する物がある。（例えば、特許文献１参照。）。【０００３】  以上の従来の抜け毛取りについて説明する。ペットのブラッシングの際に飛散してしまう不衛生さを改善するべく考案された物で、ブラッシングの際には電気掃除機のスイッチをオンにして抜け毛の飛び散るのを防ぐ方法。ペットを怖がらせないようにと静音対策を考えた物もある。
【特許文献１】  特開２００１−１９０１７４号公報
【発明の開示】
【発明が解決しようとする課題】
【０００４】  以上に述べた従来の電気掃除機にブラシ付きノズルを取り付けるという方法では、まず電気掃除機から発せられる騒音がペットに多大なる精神的ストレスを与えてしまう。たとえ静音対策が施されていても、ブラッシングの度に電気掃除機を使用すること事態が人間にとってもかなりの手間になり、又ペットにとってもその存在のものものしさから怖がらせてしまう。いずれにせよ、この方法ではブラッシングをする側もされる側も難儀である。
また人間のブラッシングの際の抜け毛取りに関しては未発明な為、次の説明にいかせて頂く。【０００５】  本発明は、従来に見られたいくつかの問題を解決すべく考案されたものである。
【課題を解決するための手段】
【０００６】  本発明は、ブラシの底面に穴あき粘着ロールペーパー（テープ）を貼る為に、ブラッシングの際の抜け毛を飛散させないものである。つまりブラッシングと同時に抜け毛が取れるという一石二鳥な商品なのである。穴はブラシの毛の数と大きさに合わせて加工される。無論人間も使用可能である。
【発明の効果】
【０００８】    上述したように本発明の抜け毛付着ブラシは、ブラッシングと同時に抜け毛を取れるので、抜け毛が飛散することもなく掃除をする手間が省けて便利である。正に衛生的である。人間の髪の毛の飛散による不快感によっても同じである。【０００９】    第二に本発明は、従来に用いられていたペットのブラッシングの際に電気掃除機を使用しないので、騒音等によるペットの精神的負担が皆無である。いつでも手軽に老若男女問わずにブラッシングが可能なので、ペットとの交流が図りやすいのである。【００１０】    第三に本発明は、ブラッシング時に付着したゴミ（抜け毛、埃、ふけ問わず）や臭いもテープを捨てると同時に解決出来るので、衛生的且つ効率的である。
【発明を実施するための最良の形態】
【００１１】    以下、本発明の実施の形態を図１〜図３に基づいて説明する。【００１２】    図においては、図１がブラシであり（形状は四角とは限らない）、そこに図２の粘着ロールペーパー（テープ）を一枚点線に沿って切り離し、ブラシの毛に合わせて差し込む。その際テープはブラシの裏に渡って重ね、貼り付け、ブラシ使用中に粘着ペーパー（テープ）が剥がれないようにする。図３は図２を開いた状態のものである。
【図面の簡単な説明】
【００１３】
【図１】  ブラシに穴あき粘着ロールペーパー（テープ）を貼った状態。Ａはブラシの毛一本。Ｂは穴。Ｃは粘着ロールペーパー。
【図２】  粘着ロールペーパー（テープ）本体。Ｄは切り取り線。
【図３】  粘着ロールペーパー（テープ）を広げた状態。
【図１】
2005204635.tif 000003
【図２】
2005204635.tif 000004
【図３】
2005204635.tif 000005
(57)【要約】【課題】通勤通学などの満員電車、バスなどで濡れた傘でスラックスやスカートなどが雨水で濡れるという問題点を有していた。【解決手段】上記課題を解決するため、傘にカバーを取り付けることによって、傘についている雨水を外部に漏らさないようにした。それを図面で説明すれば、図１の４から傘を挿入すると図１の５が細くなっているので、傘の先で止まる。次に円筒状樹脂の図１の１と２を分離させ図１の２を引っ張ると図２の状態になる。さらに円筒状樹脂の図２の２を傘の軸骨図２の６のところまで引っ張って図２の３チェーンロックを傘の軸骨図２の６に引っ掛ける。【選択図】図２
2005204765.tif 000002
【特許請求の範囲】
【請求項１】
傘にカバーを取り付けることによって、傘についている雨水を外部に漏らさないようにした。
【請求項２】
伸縮ホース状のものを利用したため、円筒状に形成されたものの中に収納でき傘と一緒に携帯できるようにした。
【発明の詳細な説明】
【技術分野】
【０００１】
本発明は、傘にカバーを取り付けることによって、傘についている雨水を外部に漏らさないようにした。また、伸縮ホース状のものを利用したため、円筒状に形成されたものの中に収納でき傘と一緒に携帯できるようにした。
【背景技術】
【０００２】
通勤通学などの満員電車、バスなどで濡れた傘でスラックスやスカートなどがビタビタになり乾くまで不快感があり、憂鬱であった。
【０００３】
しかし、この伸縮ホース状の樹脂を使用することによって、雨水を外部に漏らさないので安心である。
【０００４】
また、この伸縮ホース状の樹脂は、扇子のようにワンタッチで元の形状に戻るので、乗降の頻繁な人にとって非常に便利である。
【特許文献１】特開２００４−００００００号公報
【非特許文献１】著  特許出版  ２００４年
【発明の開示】
【発明が解決しようとする課題】
【０００５】
通勤通学などの満員電車、バスなどで濡れた傘でスラックスやスカートなどが雨水で濡れるという問題点を有していた。
【課題を解決するための手段】
【０００６】
本発明は、傘にカバーを取り付けることによって、傘についている雨水を外部に漏らさないようにした。また、伸縮ホース状のものを利用したため、円筒状に形成されたものの中に収納でき傘と一緒に携帯できるようにした。それを図面で説明すれば、図１の４から傘を挿入すると図１の５が細くなっているので、かさの先で止まる。次に円筒状樹脂の図１の１と２を分離させ図１の２を引っ張ると図２の状態になる。さらに円筒状樹脂の図２の２を傘の軸骨図２の６のところまで引っ張って図２の３チェーンロックを傘の軸骨図２の６に引っ掛ける。また、使用後は図２の３チェーンロックを外し図２の２を図２の１のところまで戻して、円筒状に形成されたものを外して、また、図２の３チェーンロックを傘の軸骨図２の６に引っ掛けて傘と一緒に携帯する。
【発明の効果】
【０００７】
通勤通学などの満員電車、バスなどで濡れた傘でスラックスやスカートなどがビタビタになり乾くまで不快感があり憂鬱であったが、傘にカバーを使用することで解消できる。
【発明を実施するための最良の形態】
【０００８】
本発明は、伸縮ホース状の樹脂で扇子のようにワンタッチで元の形状に戻る。また、常に傘の軸骨に付けて傘と一緒に携帯することが最適である。
【産業上の利用可能性】
【０００９】
市場には類似品は無く、軽量で、コンパクトなので傘の軸骨に付けて傘と一緒に携帯するので使いやすい。また、図２の２を引っ張った状態の伸縮ホース状の円筒形に宣伝広告を印刷できるので利用の可能性は高い。
【図面の簡単な説明】
【００１０】
【図１】傘にカバー
【図２】傘にカバー取付け時
【符号の説明】
【００１１】
１    円筒状樹脂１
２    円筒状樹脂２
３    チェーンロック
４    円筒状樹脂の穴大
５    円筒状樹脂の穴小
６    傘の軸骨
７    空気穴
【図１】
2005204765.tif 000003
【図２】
2005204765.tif 000004
(57)【要約】【課題】  抽斗構造において、上下方向の収容量を大きくできるようにするとともに、収容物に対する高さの制限を緩和することにより、使い勝手を向上する。【解決手段】          上面を開放した箱状体の前端に前板を備え、該箱状体の内部に収納トレーを配設するようにした抽斗構造であり、前記箱状体の一部に底板を張設しない無底部Ｂ２を形成し、該無底部Ｂ２に深底の収納トレー５Ｂを配設する一方、底板１を張設した有底部Ｂ１に浅底の収納トレー５Ａを配設する。【選択図】  図１
2005204791.tif 000002
【特許請求の範囲】
【請求項１】
上面を開放した箱状体の前端に前板を備え、該箱状体の内部に収納トレーを配設するようにした抽斗構造であり、
前記箱状体の一部に底板を張設しない無底部を形成し、該無底部に深底の収納トレーを配設する一方、底板を張設した有底部に浅底の収納トレーを配設するようにしたことを特徴とする抽斗構造。
【請求項２】
底板を張設しない無底部を箱状体の前端側に形成したことを特徴とする請求項１記載の抽斗構造。
【発明の詳細な説明】
【技術分野】
【０００１】
本発明は、家具類の収納要素である抽斗構造に関するものであり、収納量を大きくするとともに、使い勝手を向上するようにしたものである。
【背景技術】
【０００２】
一般に洗面、あるいは厨房家具に設けられる抽斗の基本的構造は、図４の示すように底板１、側板２、背板３を一体にして箱状体を構成し、この箱状体の前端に前板４を固定するようにしている。そして、このようにして構成された箱状体の内部には、通常、収納トレー５が同図に示すように底板１上に配設され、厨房家具の場合、食器具類などを収納するようにしている。
【０００３】
このような従来の抽斗構造における改良は、箱状体に配設した収納トレー５の収納機能、例えば、分別収納が可能となるように仕切壁を形成したり、さらにこの仕切壁による仕切位置の変更が可能となるようにして収納の融通性を向上するようにしたものが専らであった（例えば、特許文献１）。
【特許文献１】特開２００２−２３８６８５号公報
【発明の開示】
【発明が解決しようとする課題】
【０００４】
このように従来の抽斗構造では、その収容量は、抽斗の箱状体に配設した収納トレーの収容量で制限され、これ以上に収容量を大きくすることができなかった。また、収納トレーの平面上での収容量の変更は、仕切壁の仕切位置の変更により可能となるが、上下方向の収容量の変更は不能であるため、収容物は高さが制限され、限定されるのが実情であった。
【０００５】
本発明は、かかる従来の問題に鑑みなされたもので、抽斗構造において、上下方向の収容量を大きくできるようにするとともに、収容物に対する高さの制限を緩和することにより、使い勝手を向上することを目的とするものである。
【課題を解決するための手段】
【０００６】
そこで本発明は、以下に述べる各手段により上記課題を解決するようにした。即ち、請求項１記載の発明では、上面を開放した箱状体の前端に前板を備え、該箱状体の内部に収納トレーを配設するようにした抽斗構造であり、前記箱状体の一部に底板を張設しない無底部を形成し、該無底部に深底の収納トレーを配設する一方、底板を張設した有底部に浅底の収納トレーを配設するようにする。
【０００７】
請求項２記載の発明では、上記請求項１記載の発明において、底板を張設しない無底部を箱状体の前端側に形成するようにする。
【発明の効果】
【０００８】
上記請求項１記載の発明によれば、抽斗の箱状体において上下方向の収容量を大きくすることができ、収容物に対する高さ制限を緩和することができる。
【０００９】
上記請求項２記載の発明によれば、箱状体の前端部分の収納機能を向上することができ使い勝手の良い抽斗とすることができる。
【発明を実施するための最良の形態】
【００１０】
図１は、本発明により完成した抽斗の分解斜視図であり、キャビネットに配設した状態の断面図を図２に示す。同図に示すように底板１、側板２、背板３により箱状体が構成され、この箱状体の前端に前板４を固定し、抽斗主体を構成する。そして、前記底板１の前端は所望の幅に切り欠いた状態の無底部Ｂ２とし、底板１を張設した有底部Ｂ１との間に仕切板６を配設して前記有底部Ｂ１と無底部Ｂ２を画定し、無底部Ｂ２の側板２の上縁部にアングル部材７を固定する。
【００１１】
このように構成した抽斗主体の有底部Ｂ１には、浅底の収納トレー５Ａを配設し、さらに深底の収納トレー５Ｂを図２に示すように無底部Ｂ２に配設する。このように深底の収納トレー５Ｂを無底部Ｂ２に配設すると、収納トレー５Ｂの奥部側のフランジが収納トレー５Ａの前端側のフランジで支持された状態となり、収納トレー５Ｂの両側のフランジがアングル部材７により支持され、図３に示すように収納トレー５Ａと収納トレー５Ｂが組み合わされた状態で抽斗主体に収まる。
【００１２】
以上のようにして本発明による抽斗が構成されると、収納トレー５Ｂの底部は、図２に示すように底板１より下部に延在し、収納トレー５Ａより高さ方向の収容量が増加することになる。また、従来では収容が不能であったものの高さの制限を緩和することができ、使い勝手を大きく向上することができる。
【００１３】
なお、上述した実施例においては、無底部を抽斗主体の前端側に形成するものについて説明したが、これに限らず、抽斗主体の後端側あるいは中間位置に形成し、深底の収納トレーを配設することも容易にして可能であり、また、有底部と無底部の形成範囲の比率も任意に定めることができ、いずれの場合も本発明の技術的範囲を逸脱するものではない。
【産業上の利用可能性】
【００１４】
本発明は、厨房家具、洗面家具はもとより、キャビネット内で箱状体を前進後退させるようにした抽斗であれば実施が可能であり、その応用範囲はきわめて広範である。
【図面の簡単な説明】
【００１５】
【図１】本発明の抽斗の分解斜視図である。
【図２】本発明の抽斗の断面図である。
【図３】本発明の抽斗の完成状態を示す斜視図である。
【図４】従来の抽斗の断面図である。
【符号の説明】
【００１６】
１・・・・・・底板
２・・・・・・側板
３・・・・・・背板
４・・・・・・前板
５Ａ・・・・・収納トレー（浅底）
５Ｂ・・・・・収納トレー（深底）
６・・・・・・仕切板
７・・・・・・アングル部材
Ｂ１・・・・・有底部
Ｂ２・・・・・無底部
【図１】
2005204791.tif 000003
【図２】
2005204791.tif 000004
【図３】
2005204791.tif 000005
【図４】
2005204791.tif 000006
(57)【要約】【課題】ダビング時に再生側の音声を記録側の音声出力状態に従った出力を行うことで、操作者の意図した音声が出力されない。【解決手段】再生メディア１１１から検出した音声信号より音声多重情報検出部１１２で音多情報を検出し、記録出力音声制御部１２２でその音多情報を判断し出力音声を自動で切り替える指示を出力音声処理部１２３へ通知し、出力音声を制御する。再生音声がモノラル音声である時の出力音声はモノラル音声に従った出力方法を、再生音声がステレオ音声である時の出力音声はステレオ音声に従った出力方法を、再生音声が２ヶ国語音声である時の出力音声は２ヶ国語音声に従った出力方法を出力音声処理部１２３で制御する。【選択図】図１
2005204014.tif 000002
【特許請求の範囲】
【請求項１】
１つの筐体に複数の記録再生装置を含み、再生メディアから検出した音声信号を制御する再生出力音声制御部と、音声信号から検出した音多情報を制御する音声多重情報検出部と、音声多重情報検出部から通知された音多情報で出力音声を制御するための指示を行う記録出力音声制御部と、記録出力音声制御部からの指示で出力音声を切り替える出力音声処理部を備え、ダビング時の出力音声制御を容易に行うことを特徴とする映像音声信号記録再生装置。
【発明の詳細な説明】
【技術分野】
【０００１】
本発明は、１つの筐体に複数の映像音声信号記録再生装置を含む機器のダビング機能に関するものである。
【背景技術】
【０００２】
１つの筐体に複数の映像音声信号記録再生装置を含む機器において、ダビング機能は単数の映像音声信号記録装置を含む機器に比べて優位性を持つ機能である。
【０００３】
従来のダビングするための手順として、まず映像音声信号を再生する機器と記録する機器を用意し、再生機器を再生させ録画機器を録画させることが必要である。しかし１つの筐体に複数の映像音声信号記録再生装置を含む機器において、１つのボタンで再生側を再生させ、その再生タイミングを同期させ録画側を録画させるという機能が下記の未公開の特願２００３−８０２７０号に記載されている。
【０００４】
しかし、再生される音声信号が２ヶ国語放送といった、音声の２チャンネル出力に対してまったく内容の異なる主音声と副音声を含む音声多重信号であった場合に、主音声と副音声を記録する場合に再生側の出力音声を主音声と副音声の同時出力にする必要があるため、記録側がステレオ出力であった場合に主音声と副音声が操作者に聞こえることになり、操作者は２ヶ国語音声の記録内容をダビングしながら記録内容を視聴する場合は、出力音声を任意に切り替える必要があり操作が増えるといった欠点があった。
【発明の開示】
【発明が解決しようとする課題】
【０００５】
解決しようとする問題点は、ダビング中の視聴時に再生側の記録音声内容によっては出力音声切り替えをしなければならないという点である。
【課題を解決するための手段】
【０００６】
本発明は、再生側の記録音声内容を判断することによって、機器から出力される音声を自動で切り替えることを主要な特徴とする。
【発明の効果】
【０００７】
本発明の映像音声信号記録再生装置は、再生側で検出した音声信号により機器の出力音声を決定するので、２ヶ国語音声を含んだ再生内容をダビングする際に機器の出力音声を主音声また副音声に自動で決定することができるという利点がある。
【発明を実施するための最良の形態】
【０００８】
図１は本発明装置の実施の形態１のブロック図であって、１００は複数の記録再生部を含む映像音声信号記録再生装置、１１０は再生メディアを再生させる再生部、１１１は再生メディア、１１２は再生メディアから検出した音多情報を検出する音声多重情報検出部、１１３は再生部の出力音声信号を制御する再生出力音声制御部、１２０は再生部より出力された信号を記録する記録部、１２１は記録メディア、１２２は音声多重情報検出部で検出された音多情報により映像音声信号記録再生装置から出力される音声信号を制御する記録出力音声制御部、１２３は再生出力音声制御部より送られた音声信号を記録出力音声制御部からの指示に従った出力方法で音声出力する出力音声処理部である。
【０００９】
再生部１１０で再生メディア１１１より音声信号を再生する。音声信号に含まれるステレオ、モノラル、２ヶ国語といった音多情報を音声多重情報検出部１１２で検出し、記録出力音声制御部１２２へ通知する。再生メディアに記録された音声信号は再生部１１０より記録部１２０へ送られ、記録メディア１２１に記録される。この時記録される音声は再生部１１０から出力される音声と同等のものになるが、同時に映像音声信号記録再生装置１００より音声出力される音声は記録出力音声制御部１２２の指示に従うことになる。記録出力音声制御部１２２に通知される音多情報がステレオの時は出力音声処理部１２３にステレオ音声出力させる指示を行い、また音多情報がモノラルの時はモノラル音声出力させる指示を行う。音多情報が２ヶ国語の時は、主音声また副音声のみを出力させる指示を行う。この時の出力音声は操作者が主音声か副音声かをあらかじめ選択できることがあってもよい。なお記録出力音声制御部１２２へ指示する出力音声指示は、ダビング中は有効であってもよいが、ダビング開始時の初期値として用いて操作者の出力音声切替指示があった場合はそれに従ってもよい。また、再生途中でにおいて音声多重情報検出部１１２で検出される音多情報が変化した場合は、記録出力音声制御部１２２より出力音声処理部１２３へ指示される出力音声切替指示内容はそれに従ってもよい。
【産業上の利用可能性】
【００１０】
本発明にかかる映像音声信号記録再生装置は、１つの筐体に複数の記録再生装置を含む機器においてダビングを実行する用途にも適用できる。
【図面の簡単な説明】
【００１１】
【図１】本発明の実施の形態における映像音声記録再生装置の実施方法を示した説明図
【符号の説明】
【００１２】
１００    映像音声信号記録再生装置
１１０    再生部
１１１    再生メディア
１１２    音声多重情報検出部
１１３    再生出力音声制御部
１２０    記録部
１２１    記録メディア
１２２    記録出力音声制御部
１２３    出力音声処理部
【図１】
2005204014.tif 000003
(57)【要約】    【課題】  動画像を音声と共に携帯電話機の付属メモリに記憶させるための、取り扱いが容易な携帯電話機用動画像圧縮装置を提供する。    【解決手段】  動画像信号及び音声信号を入力する信号入力部２４と、入力された動画像信号をＭＰＥＧ４形式で圧縮すると共に、入力された音声信号を圧縮するエンコーダ部２６と、圧縮された動画像信号及び音声信号を携帯電話機の付属メモリに転送する圧縮信号出力部２８と、前記信号入力部２４、エンコーダ部２６及び圧縮信号出力部２８を制御する主制御部３０と、主制御部３０への指示を入力する指示入力部３２とを備えている。ビデオデッキ等から入力した動画像信号をＭＰＥＧ４形式で圧縮して、携帯電話機の付属メモリに記憶させることができるので、携帯電話機で映画等を楽しむことができる。【選択図】  図２
2005204012.tif 000002
【特許請求の範囲】
【請求項１】
動画像信号及び音声信号を入力する信号入力部と、
入力された動画像信号をＭＰＥＧ４形式で圧縮すると共に、入力された音声信号を圧縮するエンコーダ部と、
圧縮された動画像信号及び音声信号を携帯電話機の付属メモリに転送する圧縮信号出力部と、
前記信号入力部、エンコーダ部及び圧縮信号出力部を制御する主制御部と、
主制御部への指示を入力する指示入力部、
を備えたことを特徴とする携帯電話機用動画像圧縮装置。
【発明の詳細な説明】
【技術分野】
【０００１】
本発明は、動画像及び音声を圧縮して携帯電話機の付属メモリに記憶させる携帯電話機用動画像圧縮装置に関するものである。
【背景技術】
【０００２】
最近の携帯電話機の進歩は著しく、デジカメ機能を備えるのみならず、動画像もムービー機能として取り入れられている。また付属のメモリも、ミニＳＤメモリカードを使用するなど、大容量小型化が進んでいる（特許文献１参照）。
【０００３】
【特許文献１】特開２００２−３３０２０９号公報
【発明の開示】
【発明が解決しようとする課題】
【０００４】
しかしながら、携帯電話機にダウンロードできるビデオなどの動画像のコンテンツが少なく、また付属メモリへの動画像の転送及び転送前の動画像の圧縮が面倒なことから、動画像機能が十分に生かされていない状況にある。
【０００５】
そこで本発明の目的は、動画像を音声と共に携帯電話機の付属メモリに記憶させるための、取り扱いが容易な携帯電話機用動画像圧縮装置を提供することにある。
【課題を解決するための手段】
【０００６】
本発明に係る携帯電話機用動画像圧縮装置は、動画像信号及び音声信号を入力する信号入力部と、入力された動画像信号をＭＰＥＧ４形式で圧縮すると共に、入力された音声信号を圧縮するエンコーダ部と、圧縮された動画像信号及び音声信号を携帯電話機の付属メモリに転送する圧縮信号出力部と、前記信号入力部、エンコーダ部及び圧縮信号出力部を制御する主制御部と、主制御部への指示を入力する指示入力部とを備えたことを特徴とするものである。
【発明の効果】
【０００７】
本発明の動画像圧縮装置は上記のような構成であるため、これを携帯電話機に接続することにより、ビデオデッキ等から入力した動画像信号をＭＰＥＧ４形式で圧縮して携帯電話機の付属メモリに記憶させることが簡単に行える。したがって携帯電話機で映画等を手軽に楽しむことができる。
【発明を実施するための最良の形態】
【０００８】
以下、本発明の実施形態を図面を参照して詳細に説明する。図１は本発明に係る動画像圧縮装置の使用状態を示す。図において、１０は動画像圧縮装置、１２は携帯電話機、１４はビデオデッキ、テレビ、ビデオカメラ等の動画像出力装置である。動画像圧縮装置１０の出力側は携帯電話機１２のコネクタ１６に信号ケーブル１８により接続される。携帯電話機１２はミニＳＤメモリカード等の付属メモリ２０を備えている。動画像圧縮装置１０の入力側は信号ケーブル２２により動画像出力装置１４に接続される。
【０００９】
動画像圧縮装置１０は、図２に示すように、動画像信号及び音声信号を入力する信号入力部２４と、入力された動画像信号をＭＰＥＧ４形式で圧縮すると共に、入力された音声信号を圧縮するエンコーダ部２６と、圧縮された動画像信号及び音声信号を携帯電話機１２の付属メモリ２０に転送する圧縮信号出力部２８と、前記信号入力部２４、エンコーダ部２６及び圧縮信号出力部２８を制御する主制御部３０と、主制御部３０への指示を入力する指示入力部３２とを備えている。
【００１０】
エンコーダ部２６はＤＳＰ（デジタルシグナルプロセッサ）で構成される。主制御部３０はマイクロコンピュータとそれに付属する記憶部等から構成され、記憶部に書き込まれたファームウエア（プログラム）により一連の制御を行うようになっている。指示入力部３２は制御コマンドを入力するキーボードで構成される。この指示入力部３２は、例えば図１に示すように動画像圧縮装置１０の筐体の表面に設けられ、携帯電話機１２の液晶ディスプレイ３４に操作メニューを表示させて、この装置１０の操作を行うように構成されている。
【００１１】
ビデオデッキやテレビ等から入力された動画像信号及び音声信号は、信号入力部２４でデジタル信号に変換されてエンコーダ部２６に入り、そこで、動画像信号はＭＰＥＧ４形式で圧縮され、音声信号はＭＰＥＧ４形式で規格化されているＡＡＣ又はＡＭＲ形式で圧縮される。圧縮された動画像信号及び音声信号は、圧縮信号出力部２８を経て、携帯電話機１２に送られ、付属メモリ２０に記憶される。これら一連の信号処理は主制御部３０の制御のもとに行われる。
なお最近のＤＳＰは内部にＣＰＵコア、メモリを内蔵するものがあり、そのような高機能のＤＳＰを使用する場合は、主制御部３０はＤＳＰの中に組み込まれ、外付けのマイクロコンピュータは必要なくなる。
【００１２】
携帯電話機１２には、ＭＰＥＧ４形式で圧縮されている動画像信号及び音声信号を復元（デコード）するソフトウエアが組み込まれているので、付属メモリ２０に記憶された動画像は、携帯電話機１２の液晶ディスプレイ３４に表示して観ることができる。
【００１３】
なお上記の実施形態では、動画像圧縮装置１０と携帯電話機１２をケーブル１８で接続したが、動画像圧縮装置１０と携帯電話機１２との接続は、ブルートゥースや赤外線を用いた無線接続で行うこともできる。
【図面の簡単な説明】
【００１４】
【図１】本発明に係る動画像圧縮装置の使用状態を示す説明図。
【図２】本発明に係る動画像圧縮装置の一実施形態を示すブロック図。
【符号の説明】
【００１５】
１０：動画像圧縮装置
１２：携帯電話機
１４：ビデオデッキやテレビ等の動画像出力装置
１６：コネクタ
１８：信号ケーブル
２０：付属メモリ
２２：信号ケーブル
２４：信号入力部
２６：エンコーダ部
２８：圧縮信号出力部
３０：主制御部
３２：指示入力部
３４：液晶ディスプレイ
【図１】
2005204012.tif 000003
【図２】
2005204012.tif 000004
(57)【要約】【課題】家庭の室内で、またはアウトドアで簡単に燻製料理が出来る燻製器を提供すること。【解決手段】燻製器を陶器で作り、底部分に燻煙発生用のチップを収納した燻煙発生室を設け、その上部に網などで隔てられた被燻製食材を収納する食材収納室を設け、燻製器本体と上部の蓋とが接する部分には溝を設け、溝の中に水などの液体、または食塩や砂、活性炭などの粉体を充填しこの充填材を通して燻煙を排出させることを主要な手段とする。【選択図】図１
2005204588.tif 000002
【特許請求の範囲】
【請求項１】
陶器で形成された燻製器の底部に燻煙発生用チップを収納し、この燻製器を加熱することにより燻煙を発生させる燻煙発生部を設けると共に、チップの上部に食材を乗せる網などで隔てられた被燻製物を収納する収納部を設け、また燻製器の上部の蓋を乗せる部分に溝を設け、この溝の中に水などの液体または食塩や砂や活性炭などの粉体を入れ、この部分を通して燻煙を排出させることを特徴とする卓上燻製器。
【請求項２】
前記の燻製器の側面または蓋の部分に燻煙排出用の排出孔を設け、この排出孔に活性炭などの燻煙吸着材を取り付けたことを特徴とする請求項１記載の卓上燻製器。
【発明の詳細な説明】
【技術分野】
【０００１】
本発明は、卓上または屋外などで使用する小型の燻製器に関するものである。
【背景技術】
【０００２】
食材を燻製にすることにより独特の香りを持たせることが出来る優れた調理法であるが、燻製には大がかりな装置が必要で家庭で簡単に燻製調理することは困難であった。
【発明の開示】
【発明が解決しようとする課題】
【０００３】
解決しようとする問題点は、大がかりな装置を必要とせず、家庭でも手軽に燻製調理が出来る燻製器を提供する点である。
【課題を解決するための手段】
【０００４】
本発明は、小型で家庭の卓上でも使用出来る燻製調理器として陶器製の燻製器を用い、燻製器の底部分に燻煙発生用のチップを収納し、その上部に網等により隔てられた被燻製物である食材を収納する収納室を設け、燻製器本体と上部の蓋との接する部分に溝を設け、この溝の中に水などの液体または食塩や砂、活性炭などの粉体を入れ、この部分より燻煙を排出させる手段を取ることにより携帯に便利で卓上またはアウトドアでも使用出来る簡単な燻製器を提供することが出来た。
【発明の効果】
【０００５】
本発明の燻製器は小型でかつ安価であるため家庭で手軽に少量の燻製品を調理出来、また携帯性にも優れているのでアウトドアで燻製料理を手軽に楽しむ事も出来るという利点がある。
【発明を実施するための最良の形態】
【０００６】
陶器性の燻製器の内部の温度を保つために燻製器の厚みは１０ミリ〜３０ミリとする。蓋を乗せる部分の溝は溝に充填した液体や粉体が食材収納室に入らないように外壁よりも内壁を高く作る。底部の加熱にはガスコンロを用いるが、底部分をカーボンで作れば電磁調理器にも対応出来る。また底の部分を薄くすれば電熱器による加熱も可能である。
【実施例１】
【０００７】
図１は、本発明装置の１実施例の断面図である。
【０００８】
（２）の燻煙発生室に燻煙発生用のチップを入れ、金網（６）で隔てられた（３）の被燻製食材収納室に肉や魚を入れ、下から加熱するとチップは加熱されて蒸し焼き状態となり燻煙を発生する。この燻煙により（３）に収納された食材は燻されて燻製が出来る。加熱とともに燻製器内の圧力が高まり燻煙は燻製器本体（１）と蓋（４）との隙間より外部に排出されるが、この部分には溝（５）が設けられていて、この溝に充填された水または活性炭の層を通して排出されるため燻煙は吸着または吸収され室内に排出される煙は軽減する。
【０００９】
図２は本発明の他の実施例で燻製器の側面に燻煙の排出孔を設け、その排出孔に活性炭を装着した状態を示した断面図である。
【００１０】
この装置には燻製器本体（１）の側面に別に燻煙の排出孔（７）を設け、燻煙をこの排出孔（７）を通して外部に排出させるようにしたもので、この排出孔（７）には活性炭（８）を設置してあるので煙は活性炭（８）に吸着されて外部に排出されるため煙は軽減する。
【００１１】
図３は上記の燻煙排出孔（７）を蓋（４）の部分に設け、その排出孔（７）に活性炭（８）を装着した実施例の断面図である。
【産業上の利用可能性】
【００１２】
一般家庭の室内において、また携帯に便利であるためアウトドアにおいて手軽に燻製料理を楽しむ事が出来る。
【図面の簡単な説明】
【００１３】
【図１】卓上燻製器の実施例を示した断面図である。
【図２】卓上燻製器本体に燻煙の排出孔を設けた実施例を示した断面図である。
【図３】卓上薫製器の燻煙排出孔を蓋の上部に設けた実施例を示した断面図である。
【符号の説明】
【００１４】
１    燻製器本体
２    燻煙発生室
３    被燻製食材収納室
４    蓋
５    燻煙排出部の溝
６    金網
７    燻煙排出孔
８    活性炭
【図１】
2005204588.tif 000003
【図２】
2005204588.tif 000004
【図３】
2005204588.tif 000005
(57)【要約】【課題】          ブラシ毛３の中央部を芯材２に挟み込み、該芯材２を回転させ、螺旋状にブラシ毛３を固定する構造の化粧用塗布ブラシ１の製造工程中、芯材２に挟まれたブラシ毛３が芯材２によって切断されてしまうのを防止する。【解決手段】      ブラシ毛３の中央部を芯材２に挟み込み、該芯材２を回転させ、螺旋状にブラシ毛３を固定する構造の化粧用塗布ブラシ１において、前記ブラシ毛３を挟み込む芯材２の断面形状を、少なくともブラシ毛３を挟み込む一面を平面若しくは曲率の大きい曲面として、該平面若しくは曲率の大きい曲面でブラシ毛３を挟持させる。【選択図】  図３
2005204966.tif 000002
【特許請求の範囲】
【請求項１】
ブラシ毛３の中央部を芯材２に挟み込み、該芯材２を回転させ螺旋状にブラシ毛３を固定する構造の化粧用塗布ブラシ１において、前記芯材２の断面形状を少なくともブラシ毛３を挟み込む一面を平面若しくは曲率の大きい曲面にした事を特徴とする化粧用塗布ブラシ。
【請求項２】
前記芯材２の角部を丸めた事を特徴とする請求項１記載の化粧用塗布ブラシ。
【発明の詳細な説明】
【技術分野】
【０００１】
本発明は、液状化粧料、特にマスカラ用の塗布ブラシの改良に関するものである。
【背景技術】
【０００２】
従来、マスカラ用の塗布ブラシの代表的な製造方法としては、例えば特許文献１に示された方法がある。以下にその方法を説明する。Ｕ字状に折曲された芯材の間に多数のブラシ毛の中央を挟み込み、芯材をねじって、ブラシ毛を螺旋状に固定する。その後、ブラシ毛の先端を切断して、所望形状に成形する。この種のスクリューブラシはマスカラ液塗布のほか、ブラシを回転させる事により、まつげをかき上げる等ができ、大変便利なものであった。
【特許文献１】実開平３−８１０１７号公報（図１、図２）
【発明の開示】
【発明が解決しようとする課題】
【０００３】
しかし、芯材は、断面が丸形状の針金の様なものが使用され、この針金状の芯材の間にブラシ毛が挟まれて固定されるため、芯材同士は、点状の接触となり、芯材との間にブラシ毛が挟み込まれた際、その挟み込む力でブラシ毛が切れてしまう危険性があった。これは、芯材の巻き強さを弱目にすれば防げるのであるが、今度は逆に芯材の挟む力が弱くなり、ブラシ毛が抜け落ちてしまう危険性が増えてしまった。以上の様にこの種のブラシ毛の固定方法は、大変微妙な上に成り立っており、生産性が高いとは言えなかった。
【課題を解決するための手段】
【０００４】
、
ブラシ毛３の中央部を芯材２に挟み込み、該芯材２を回転させ、螺旋状にブラシ毛３を固定する構造の化粧用塗布ブラシ１において、前記芯材２の断面形状を、少なくともブラシ毛を挟み込む一面を平面若しくは曲率の大きい曲面とした形状にする。
【発明の効果】
【０００５】
本発明は、以上の様に、ブラシ毛３の中央部を芯材２に挟み込み、該芯材２を回転させ、螺旋状にブラシ毛３を固定する構造の化粧用塗布ブラシ１において、前記芯材２の断面形状を、少なくともブラシ毛３を挟み込む一面を平面若しくは曲率の大きい曲面とした形状にしたため、この平面若しくは曲率の大きな曲面がブラシ毛３の挟持面となる。そのため、芯材２の接触面積が増え、ブラシ毛３をつぶし切ってしまう様な事がない。従って、ブラシ毛３が抜け落ちてしまわない様、芯材２のブラシ毛３を挟む力を強目に設定しても、ブラシ毛３が切れ落ちてしまう様な事がなくなる。
【実施例１】
【０００６】
次に、本発明の化粧用塗布ブラシの実施例について、図によって説明する。本発明の化粧用塗布ブラシ１は、獣毛、化学繊維などから成るブラシ毛３と、本発明の特徴である、金属製針金状の芯材２とより構成されている。この芯材２の断面は、角が丸められた扁平な長方形状をしておりこの長辺同士でブラシ毛３を挟んでいる。このブラシ１は、従来と同様に製造される。図２の様に、断面が角の丸まった長方形状をした、金属製の芯材２を長辺が内側に向かい合う様Ｕ字状に折曲する。この芯材２の間には、所定長さに切断したブラシ毛３を挟み込む。そして、芯材２の一方を固定し、他方を回転させて、芯材２をねじってゆく。その結果、芯材２の間隔が締まり、ブラシ毛３が芯材２に挟み込まれ、保持される様になる。
この時、ブラシ毛３は、芯材２の長辺の間で保持されているため、面状での保持となりブラシ毛３が強固に保持され、しかも、ブラシ毛３にせん断力が加わらない。図４、図５、図６、図７は本発明実施例の変形例を示したものである。このうち、図４は、芯材３の断面が略長方形状をしているが、ブラシ毛３を挟み込む面を曲率の大きい曲面としたものである。図５は、芯材３の断面が半円形状をしており、この平面部分でブラシ毛３を挟み込んだものである。図６は、断面が楕円形状をした芯材２を利用したものであり、曲率の多きい面でブラシ毛３を挟んだものである。図７は、断面が角の丸まった正方形状の芯材２を利用したものである。いずれの場合も、角部を丸める必要がある。
【図面の簡単な説明】
【０００７】
【図１】本発明実施例の化粧用ブラシの正面図。
【図２】製造時のブラシ毛と芯材の斜視図。
【図３】図１における芯材の断面図。
【図４】芯材のその他の実施例の断面図。
【図５】芯材のその他の実施例の断面図。
【図６】芯材のその他の実施例の断面図。
【図７】芯材のその他の実施例の断面図。
【符号の説明】
【０００８】
１  ブラシ
２  芯材
３  ブラシ毛
【図１】
2005204966.tif 000003
【図２】
2005204966.tif 000004
【図３】
2005204966.tif 000005
【図４】
2005204966.tif 000006
【図５】
2005204966.tif 000007
【図６】
2005204966.tif 000008
【図７】
2005204966.tif 000009
(57)【要約】【課題】  この発明は、皮膚に接触させて摩擦しても疲れないし、かつ、衛生的な皮膚摩擦具を開発・製造することにある。【解決手段】この発明の一実施例を図面に従って詳述すると、木材、合成樹脂、硬質ゴム、セラミック等の素材を用い、掌に握れる太さのロッド状の本体（１）を設け、該本体（１）の先端部に、横方向に平行な突起条（２）を設け、該突起条（２）の突起部（２ａ）を非尖鋭、即ち、先が尖っていない形状に形成したことを特徴とする皮膚の表面より神経や血管を刺激する皮膚摩擦具から構成される。【選択図】        図１
2005204928.tif 000002
【特許請求の範囲】
【請求項１】
掌で握れる太さのロッド状の本体１を設け、該本体１の先端部に突起条（２）を設け、該突起条（２）の突起部（２ａ）を非尖鋭に形成したことを特徴とする皮膚の表面より神経や血管を刺激する皮膚摩擦具。
【発明の詳細な説明】
【技術分野】
【０００１】
この発明は、身体の表面より神経や血管を刺激するための皮膚摩擦具に関するものである。
【背景技術】
【０００２】
従来、薄い下着の上から、皮膚を指先でこすり、皮下出血のような状態にし、神経を刺激し、血管の老廃物を尿から排出する治療が行われている。
【０００３】
しかし、その治療の施術者が、多数の患者の指先で直接あるいは薄い下着を介して皮膚をこするため、指先が疲れるという欠点があった。
【発明の開示】
【発明が解決しようとする課題】
【０００４】
そこで、この発明は、皮膚に接触させて摩擦しても疲れないし、かつ、衛生的な皮膚摩擦具を開発・製造することにある。
【課題を解決するための手段】
【０００５】
本発明は、掌に握れる太さのロッド状の本体を設け、該本体の先端部に突起条を設け、該突起条の突起部を非尖鋭に形成したことを特徴とする皮膚の表面より神経や血管を刺激する皮膚摩擦具から構成される。
【発明の効果】
【０００６】
本発明によると、掌で握れる太さのロッド状の本体（１）に形成するため、比較的楽に施術することができ、また、該本体（１）の先端部に突起条（２）を設け、該突起条（２）の突起部（２ａ）を非尖鋭に形成することにより、患者の皮膚を傷つけることなく、摩擦できることにより、衛生的であり、かつ、複数の患者を連続的に施術しても問題がない。
【発明を実施するための最良の形態】
【０００７】
この発明の一実施例を図面に従って詳述すると、掌に握れる太さのロッド状の本体（１）を設け、該本体（１）の先端部に突起条（２）を設け、該突起条（２）の突起部（２ａ）を非尖鋭に形成したことを特徴とする皮膚の表面より神経や血管を刺激する皮膚摩擦具から構成される。
【０００８】
尚、この発明の本体（１）の素材は、木材、合成樹脂、硬質ゴム、セラミック等のいかなる素材でもよい。
【０００９】
また、この発明の本体（１）の突起条（２）は、横方向に平行な突起条であってもよく、やや、湾曲した突起条であってもよい。
【００１０】
さらに、この発明の突起条（２）の突起部（２ａ）は、非尖鋭、即ち、先が尖っていないものであり、そのように構成することにより、皮膚（Ｘ）に接触した状態で、突起部（２）を、誤って、横方向に移動させても皮膚（Ｘ）を傷つけることがないよう配慮したものである。
【００１１】
また、突起条（２）の後方に膨出突起部（３）を設ければ、該膨出突起部（３）で皮膚（Ｘ）を指圧しながら、突起条（２）で摩擦できたり、突起条（２）の皮膚（Ｘ）への角度を調整することも可能である。
【００１２】
この発明の使用にあたっては、図４に示すように、皮膚（Ｘ）に対して一定の角度で突起条（２）の突起部（２ａ）を接触させ、かつ、突起部（２ａ）を軽く擦るものである。
【産業上の利用可能性】
【００１３】
この発明は、ロッド状の本体（１）の製造技術を確立し、かつ寄与する点で、産業上の利用可能性を有する。
【図面の簡単な説明】
【００１４】
【図１】この発明の一実施例を示す斜視図である。
【図２】この発明の他の実施例を示す一部拡大斜視図である。
【図３】この発明の他の実施例を示す斜視図である。
【図４】この発明の他の実施例の使用状態を示す説明図である。
【符号の説明】
【００１５】
１  ロッド状の本体
２  突起条
２ａ  突起部
３  膨出突起部
Ｘ  皮膚
【図１】
2005204928.tif 000003
【図２】
2005204928.tif 000004
【図３】
2005204928.tif 000005
【図４】
2005204928.tif 000006
(57)【要約】【課題】  シャワーを浴びる時に使用するシャワーヘッドは単にホースから流入した水を拡散させるもので、中には断続的な放水によりマッサージ効果を得るものがあるが何れも放水時の水を拡散する目的のものである。【解決手段】  本発明のシャワーヘッドは、シャワーを浴びている時のシャワー放水による体を洗う目的と同時に、放水時に多色に変化するＬＥＤを点灯させることで光の演出をし精神的な「安らぎ」「リラックス感」を得ることの出来る時空間を創りだすことのできる発電機内蔵式多色発光ＬＥＤを備え付けたシャワーヘッドを提供することにある。【選択図】図２
2005204957.tif 000002
【特許請求の範囲】
【請求項１】
シャワーにおけるヘッドであって、そのシャワーヘッドの手で持つ部分に発電機と、水の放出部にＬＥＤを備え付けたシャワーヘッド。
【発明の詳細な説明】
【技術分野】
【０００１】
本考案は、シャワーヘッドに関するものである。
【背景技術】
【０００２】
一般的なシャワーヘッドは放水時に水を拡散するもの、一部は付加装置としてマッサージ効果を得る目的で断続的に放水するなどの種類が使用されておるのが現状である。
【０００３】
そして今日、更に多様化した商品が開発されており水道水のカルキ除去を目的としてシャワーヘッドのグリップ部にそのカルキ除去剤を入れた物が登場した。
【０００４】
しかし、このいずれもが最終目的はホースによって流れ込んだ水を拡散することであり、この目的を備えた上に更なる変化をもたらす改良の余地が無い確立された器具である。
【０００５】
そこで、当該品の使用時に本来の目的であるシャワー浴をより楽しみながら心身共にリラックスする効果を引き出す器具の開発をするものである。
【特許文献１】特許公開２０００−２７１０３３
【特許文献２】特許公開２０００−３２５２５１
【非特許文献１】不知
【発明の開示】
【発明が解決しようとする課題】
【０００６】
そこでシャワー浴をすることに於いての身体に与える効果を考慮した場合、肉体的に体を洗うことで清潔にすることが最大の目的である。更に精神的にも全身で水を受けて「安らぎ」「リラックス感」をもたらす効果がある。そこで、さらなる精神的に「癒し」効果を高めるシャワーヘッドを提供することにある。
【課題を解決するための手段】
【０００７】
解決しようとする問題点は、シャワー放水時に多色に変化する光の演出をすることでその効果をもたらすことが可能となる。その光源として最近開発著しい単数で多色に発光するＬＥＤを採用しることで解決できる。又、そのＬＥＤ点灯用の電源は水を放出したときの水流圧を利用し自己発電する機能を備え付けることで得られた電気により可能となる。
【発明の効果】
【０００８】
本発明は、図１に示すシャワーヘッド（１）のグリップ部に水流式発電機を収納しシャワーの出水口にＬＥＤを配し放水時にＬＥＤを点灯させることで「癒し」の空間を創り出し、そのシャワーを使用することで精神的に癒される効果を引き出すことの出来るシャワーヘッドを提供することである。
【発明を実施するための最良の形態】
【０００９】
本発明は、水流タービンを用い発電機を廻し電気を得ることで照明用ＬＥＤを点灯させることにより形成される。
【実施例１】
【００１０】
本発明の実施に当たっては既に出願済みの特願２００３‐２０９２１２の発電方法を基本的に採用することで容易に実現できる。
【００１１】
図２はシャワーヘッド（１）の断面図であって、ハンドグリップ部に水流タービン（２）を配しその水流により回転した水流タービンの軸と直結した発電機（３）を回転させることで電気を得る事ができる。
当然にして、発電機（２）は防水ケース（４）に収納して設置しなければならない。
【００１２】
得られた電気は導電線（５）を経てＬＥＤ（６）に導きＬＥＤを点灯させることが出来る。
そして、そのＬＥＤ（６）は設置場所を考慮し出来るだけ少数でしかも多色に変化することで更なる癒し効果を得るため、近年開発目覚しい高輝度でしかも多色変化するＬＥＤを設置することで僅か一個のみの設置で多色に変化することが実現できる。
【００１３】
本発明品での実際の使用に於いては、水流がある時のみ発電できるので当然ＬＥＤ（６）の点灯はシャワー水を出している時のみでＬＥＤ（６）に対して点灯用のスイッチは設置不要である。
【００１４】
本発明品の設置はに当たっては、新規取り付け時は水道給水栓にホースを接続しホースの一方に本発明品をねじ込むことで完了する。従来使用してるシャワーヘッドが有る場合はそのネジを緩めることで外すことが出来、外したホースに本発明品をねじ込むことで完了する。
【産業上の利用可能性】
【００１５】
以上の構成に基づいて本発明は、シャワーヘッドに発電機を組み込むことで、その得られた電気を利用してＬＥＤ（６）を点灯させてるものであり外部からの電源を使用しないため安全性に於いても優れたシャワー浴時の精神的癒し空間を作り出す器具である。
【図面の簡単な説明】
【００１６】
【図１】本発明に供するシャワーヘッドの外観図（実施例１）
【図２】本発明に供するシャワーヘッド及び発電機構の断面図（実施例１）
【符号の説明】
【００１７】
(１)      シャワーヘッド
(２)      水流タービン
(３)      発電機
(４)      防水ケース
(５)      導電線
(６)      ＬＥＤ
【図１】
2005204957.tif 000003
【図２】
2005204957.tif 000004
(57)【要約】【課題】本発明は、各部材間の隙間を凸部と平面又は凹部で決め、輪状ガスケットに対する予圧量を一定とすることを目的とする。【解決手段】本発明による部材の結合構造は、第１、第２部材(1、4)を凸部(2、2a)と平面(4a)又は凹部(5)によって隙間(G)を設け、この隙間(G)内に輪状ガスケット(3)を設けることにより、輪状ガスケット(3)の予圧量を常に一定とする構成である。【選択図】図２
2005221056.tif 000002
【特許請求の範囲】
【請求項１】
第１部材(1)と第２部材(4)とを輪状ガスケット(3)を介して重合し、結合用ねじ(12)により前記第１部材(1)、第２部材(4)及び輪状ガスケット(3)とを一体状に結合する部材の結合構造において、
前記第１部材(1)又は第２部材(4)の何れかに形成された凸部(2、2a)と平面(4a)又は凹部(5)を組合せ、かつ、前記凸部(2、2a)を前記輪状ガスケット(3)の穴を貫通させたことを特徴とする部材の結合構造。
【請求項２】
前記凸部(2、2a)と平面(4a)又は凹部(5)の寸法により、前記輪状ガスケット(3)の予圧量が決められるように構成したことを特徴とする請求項１記載の部材の結合構造。
【請求項３】
前記第１部材(1)はモータの後蓋よりなり、前記第２部材(4)はモータのカバーよりなることを特徴とする請求項１又は２記載の部材の結合構造。
【発明の詳細な説明】
【技術分野】
【０００１】
本発明は、部材の結合構造に関し、特に、第１部材と第２部材間の間隔を凸部と平面又は凹部によって決めることにより、各部材間のガスケットの予圧量を常に最適な量とし、調整等の余分な管理を一切不要とするための新規な改良に関する。
【背景技術】
【０００２】
従来、用いられていたこの種のモータ等のケースにおける一対の部材をガスケットを介して重合させ、防水構造とする場合、社内製作であるため、特に、特許文献等は開示していないが、結合用ねじの締め具合によって、ガスケットの予圧量を見ていた。
【発明の開示】
【発明が解決しようとする課題】
【０００３】
従来の部材の結合構造は、以上のように構成されていたため、次のような課題が存在していた。
すなわち、結合用のねじのみで各部材を結合しているため、このねじの締め具合のバラツキによってガスケットに対する予圧量がバラツキ、防水不良等の原因となり、生産性向上の障害となっていた。
【課題を解決するための手段】
【０００４】
本発明による部材の結合構造は、第１部材と第２部材とを輪状ガスケットを介して重合し、結合用ねじにより前記第１部材、第２部材及び輪状ガスケットとを一体状に結合する部材の結合構造において、前記第１部材又は第２部材の何れかに形成された凸部と平面又は凹部を組合せ、かつ、前記凸部を前記輪状ガスケットの穴を貫通させた構成であり、また、前記凸部と平面又は凹部の寸法により、前記輪状ガスケットの予圧量が決められるようにした構成であり、また、前記第１部材はモータの後蓋よりなり、前記第２部材はモータのカバーよりなる構成である。
【発明の効果】
【０００５】
本発明による部材の結合構造は、以上のように構成されているため、次のような効果を得ることができる。
すなわち、各部材間の隙間を凸部と平面又は凹部で決めているため、この隙間に設けられるガスケットは、常に最適な予圧量で予圧され、防水漏れ等のない安定した品質を維持することができる。
また、凸部がガスケットを貫通していると共に、凸部が凹部に係合しているため、各部材間の位置決めも容易に達成される。
【発明を実施するための最良の形態】
【０００６】
本発明は、第１、第２部材間の隙間を凸部と平面又は凹部で決めているため、この隙間に設けられるガスケットに対する予圧量が常に一定となり、安定した品質を得ることを目的とする。
【実施例】
【０００７】
以下、図面と共に本発明による部材の結合構造の好適な実施の形態について説明する。
図１から図４において、符号１で示されるものは、第１部材であり、この第１部材１は、例えば、モータの後蓋に適用されているが、他の部材とすることも可である。
【０００８】
前記第１部材１（第２部材４でも可）には複数の凸部２、２ａが形成されており、これらの凸部２、２ａのうち、凸部２ａは凸部２よりも長く形成され、図１で示されるように、第１部材１の中央部に形成されていると共に、他の凸部２は第１部材１の端部側に形成されている。
【０００９】
前記第１部材１には、輪状ガスケット３を介してカバーからなる第２部材４が対向配置されており、このカバーはモータのカバーであるが、モータのカバー以外に適用することも可能である。
【００１０】
前記第２部材４（第１部材１でも可）の中央位置には、凹部５が形成され、この凹部５には前記凸部２ａが係合するように構成されている。
従って、前記各凸部２は、図１における符号Ｈで示されるように、第１部材１の各端部位置に数ケ所形成されており、前記各凸部２ａは第１部材１のほぼ中央位置において符号Ｆで示されるように数ケ所形成されている。
【００１１】
前記第１部材１の周縁には、複数のねじ孔１０が形成され、前記第２部材４の案内孔１１に挿入された結合用ねじ１２は、前記輪状ガスケット３の穴（図示せず）を貫通して前記ねじ孔１０に螺入されていることにより、第１、第２部材１、４は輪状ガスケット３を挟持する状態で重合して結合される。
【００１２】
前述の場合、前記凸部２が第２部材４の平面４ａに当節することにより、各部材１、４間の隙間Ｇが形成され、この隙間Ｇは、予めこの隙間Ｇ内に設けられる輪状ガスケット３の厚さを考慮して最適な予圧量となるように設定されている。
【００１３】
従って、各部材１、４を輪状ガスケット３を介して結合した場合、図２で示されるように、何らの調整も必要とすることなく、輪状ガスケット３に対する予圧量が得られ、自動組立ても自在となる。
【産業上の利用可能性】
【００１４】
本発明は、モータ等だけではなく、他の全てのガスケットを用いる構成に適用可である。
【図面の簡単な説明】
【００１５】
【図１】本発明による部材の結合構造の要部を示す平面図である。
【図２】本発明の部材の結合構造を示す断面図である。
【図３】図２の要部の拡大断面図である。
【図４】図２の要部を示す拡大断面図である。
【符号の説明】
【００１６】
１    第１部材（後蓋）
２、２ａ    凸部
３    輪状ガスケット
４    第２部材（カバー）
４ａ    平面
５    凹部
１２    結合用ねじ
Ｇ    隙間
【図１】
2005221056.tif 000003
【図２】
2005221056.tif 000004
【図３】
2005221056.tif 000005
【図４】
2005221056.tif 000006